(57)【要約】【課題】情報処理装置間で保存データを伝送する場合に，使用者に便利なインターフェースを提供すること。【解決手段】  本発明によるデータ伝送システムは，ネットワーク４００を介して相互に接続され，タッチスクリーンインターフェース部を有する第１及び第２情報処理装置１００，２００と，第１及び第２情報処理装置１００，２００と無線データ送受信が可能なポインタ装置３００とを備える。第１情報処理装置１００は，選択された保存データのアドレス情報をポインタ装置３００に送信し；ポインタ装置３００は，受信したアドレス情報を保存し，第２情報処装置２００からのアドレス要請信号を受信すると，保存されたアドレス情報を第２情報処理装置２００に送信し；第２情報処理装置２００は，受信したアドレス情報に対応する保存データを第１情報処理装置１００から受信して保存する。【選択図】  図５
2005032221.tif 000002
【特許請求の範囲】
【請求項１】
ネットワークを介して相互に接続され，タッチスクリーンインターフェース部を有する第１情報処理装置及び第２情報処理装置と；
前記第１情報処理装置及び前記第２情報処理装置と無線データ送受信が可能なポインタ装置と；
を備え，
前記第１情報処理装置は，前記タッチスクリーンインターフェース部を通じて入力された第１タッチ信号に対応する保存データのアドレス情報を，前記ポインタ装置に送信し；
前記ポインタ装置は，前記第１情報処理装置から受信したアドレス情報を保存し，前記第２情報処装置からのアドレス要請信号を受信した場合に，前記保存された前記アドレス情報を前記第２情報処理装置に送信し；
前記第２情報処理装置は，前記ポインタ装置から受信した前記アドレス情報に対応する保存データを，前記第１情報処理装置から受信して保存することを特徴とする，データ伝送システム。
【請求項２】
前記第１情報処理装置は，
少なくとも１つの保存データを保存する第１データ保存部と；
前記ポインタ装置と無線データ通信するための第１無線ネットワーク部と；
前記第１タッチ信号に対応する保存データのアドレス情報を検出し，前記検出したアドレス情報を，前記第１無線ネットワーク部を通じて送信する第１伝送制御部と；
を有することを特徴とする，請求項１に記載のデータ伝送システム。
【請求項３】
前記第１伝送制御部は，前記第１情報処理装置の運営体系に対応したアプリケーションで構成されることを特徴とする，請求項２に記載のデータ伝送システム。
【請求項４】
前記第２情報処理装置は，
前記ポインタ装置と無線データ通信するための第２無線ネットワーク部と；
前記第２情報処理装置の前記タッチスクリーンインターフェース部を通じて入力された第２タッチ信号に応じて，前記アドレス要請信号を前記第２無線ネットワーク部を通じて前記ポインタ装置に送信し，前記ポインタ装置から前記第２無線ネットワーク部を通じて前記アドレス情報を受信する第２伝送制御部と；
前記第１情報処理装置から受信した保存データを保存する第２データ保存部と；
を有することを特徴とする，請求項１または２のいずれかに記載のデータ伝送システム。
【請求項５】
前記第２伝送制御部は，前記第２情報処理装置の運営体系に対応したアプリケーションで構成されることを特徴とする，請求項４に記載のデータ伝送システム。
【請求項６】
前記第２情報処理装置の前記第２伝送制御部は，
前記ポインタ装置から前記アドレス情報を受信した場合，前記受信したアドレス情報に対応する保存データの伝送を要請するための保存データ要請信号を，前記第１情報処理装置に送信することを特徴とする，請求項４または５のいずれかに記載のデータ伝送システム。
【請求項７】
前記ポインタ装置は，
前記第１無線ネットワーク部及び前記第２無線ネットワーク部と無線データ通信するための第３無線ネットワーク部と；
前記第１情報処理装置から前記第３無線ネットワーク部を通じて受信した前記アドレス情報を保存するアドレス保存部と；
前記第２情報処理装置から前記第３無線ネットワーク部を通じて前記アドレス要請信号を受信した場合，前記アドレス保存部に保存された前記アドレス情報を，前記第３無線ネットワーク部を通じて前記第２情報処理装置に送信する第３伝送制御部と；
を有することを特徴とする，請求項４，５または６のいずれかに記載のデータ伝送システム。
【請求項８】
前記第３伝送制御部は，前記アドレス要請信号を受信した場合，前記アドレス保存部に保存されたアドレス情報のうち最新のアドレス情報を読み出して前記第２情報処理装置に送信することを特徴とする，請求項７に記載のデータ伝送システム。
【請求項９】
前記第２伝送制御部は，前記第２情報処理装置の前記タッチスクリーンインターフェース部を通じて入力された第３タッチ信号に応じて，アドレスリスト要請信号を前記第２無線ネットワーク部を通じて前記ポインタ装置に送信し；
前記第３伝送制御部は，前記アドレスリスト要請信号を受信した場合，前記アドレス保存部に保存された全てのアドレス情報を読み出して前記第２情報処理装置に送信することを特徴とする，請求項７または８のいずれかに記載のデータ伝送システム。
【請求項１０】
前記第２伝送制御部は，前記アドレスリスト要請信号に対応して前記ポインタ装置から受信したアドレス情報のリストを表示し，前記第２情報処理装置の前記タッチスクリーンインターフェース部を通じてアドレス情報が選択された場合，前記選択されたアドレス情報に対応する保存データの伝送を要請するための前記保存データ要請信号を，前記第１情報処理装置に送信することを特徴とする，請求項９に記載のデータ伝送システム。
【請求項１１】
前記第１情報処理装置及び前記第２情報処理装置と，前記ポインタ装置とは，ブルートゥースプロトコルまたは無線ランプロトコルのうちのいずれかで無線データ送受信を行うことを特徴とする，請求項１，２，３，４，５，６，７，８，９または１０のいずれかに記載のデータ伝送システム。
【請求項１２】
前記第１情報処理装置と前記第２情報処理装置とは，前記ネットワークを介して，ＴＣＰ／ＩＰでデータ送受信を行うことを特徴とする，請求項１，２，３，４，５，６，７，８，９，１０または１１のいずれかに記載のデータ伝送システム。
【請求項１３】
前記アドレス情報は，前記保存データのＩＰアドレス情報と，前記第１情報処理装置におけるディレクトリ情報と，前記保存データのファイル情報とを含むことを特徴とする，請求項１２に記載のデータ伝送システム。
【請求項１４】
ネットワークを介して相互に接続され，タッチ信号を入力するためのタッチスクリーンインターフェース部を有する第１情報処理装置及び第２情報処理装置間のデータ伝送方法において：
（ａ）前記第１情報処理装置及び前記第２情報処理装置と無線データ送受信が可能なポインタ装置を設ける段階と；
（ｂ）前記第１情報処理装置の前記タッチスクリーンインターフェース部を通じてアドレス情報の伝送のための第１タッチ信号を入力する段階と；
（ｃ）前記第１情報処理装置に保存された保存データのうち前記第１タッチ信号に対応する保存データのアドレス情報を，前記ポインタ装置に送信する段階と；
（ｄ）前記ポインタ装置に送信されたアドレス情報を，前記第１情報処理装置から前記ポインタ装置に保存する段階と；
（ｅ）前記第２情報処理装置からの要請に応じて，前記保存されたアドレス情報を前記ポインタ装置から前記第２情報処理装置に送信する段階と；
（ｆ）前記第２情報処理装置に送信されたアドレス情報に対応する前記第１情報処理装置に保存されている保存データを，前記第１情報処理装置から前記第２情報処理装置に送信する段階と；
（ｇ）前記前記第２情報処理装置に送信された保存データを，前記第２情報処理装置に保存する段階と；
を含むことを特徴とする，データ伝送方法。
【請求項１５】
前記（ｅ）段階は，
（ｅ−１）前記第２情報処理装置の前記タッチスクリーンインターフェース部を通じて前記ポインタ装置に保存されたアドレス情報の伝送を要請するための第２タッチ信号を入力する段階と；
（ｅ−２）前記第２タッチ信号に応じてアドレス要請信号を前記第２情報処理装置から前記ポインタ装置に送信する段階と；
（ｅ−３）前記ポインタ装置による前記アドレス要請信号の受信に応じて，前記ポインタ装置に保存されたアドレス情報を，前記ポインタ装置から前記第２情報処理装置に送信する段階と；
を含むことを特徴とする，請求項１４に記載のデータ伝送方法。
【請求項１６】
前記（ｅ−３）段階において，前記アドレス要請信号に対応して前記ポインタ装置から前記第２情報処理装置に伝送されるアドレス情報は，前記ポインタ装置に保存されたアドレス情報のうち最新のアドレス情報であることを特徴とする，請求項１５に記載のデータ伝送方法。
【請求項１７】
前記（ｅ）段階は，
（ｅ−１’）前記第２情報処理装置の前記タッチスクリーンインターフェース部を通じて第３タッチ信号を入力する段階と；
（ｅ−２’）前記第３タッチ信号に応じて，アドレスリスト要請信号を前記第２情報処理装置から前記ポインタ装置に送信する段階と；
（ｅ−３’）前記ポインタ装置による前記アドレス要請信号の受信に応じて，前記ポインタ装置に保存された全てのアドレス情報を，前記ポインタ装置から前記第２情報処理装置に送信する段階と；
を含むことを特徴とする，請求項１４に記載のデータ伝送方法。
【請求項１８】
（ｈ）前記（ｅ−３’）段階後に，前記第２情報処理装置が，前記ポインタ装置から前記全てのアドレス情報を受信する段階と；
（ｉ）前記受信した全てのアドレス情報のリストを前記第２情報処理装置に表示する段階と；
（ｊ）前記表示されたアドレス情報のリストに含まれるアドレス情報のうち，少なくともいずれか１つを選択する段階と；
をさらに含み，
前記（ｆ）段階において前記第１情報処理装置から前記第２情報処理装置に送信される保存データは，前記（ｊ）段階で選択されたアドレス情報に対応する保存データを含むことを特徴とする，請求項１７に記載のデータ伝送方法。
【請求項１９】
前記（ｆ）段階は，
（ｆ−１）前記第２情報処理装置が，前記ポインタ装置から送信されたアドレス情報を受信する段階と；
（ｆ−２）前記第１情報処理装置に保存されている保存データのうち，前記受信されたアドレス情報に対応する保存データの伝送を要請するためのデータ要請信号を前記第１情報処理装置に送信する段階と；
（ｆ−３）前記データ要請信号に対応する保存データを，前記第１情報処理装置から前記第２情報処理装置に送信する段階と；
を含むことを特徴とする，請求項１４，１５，１６，１７または１８のいずれかに記載のデータ伝送方法。
【請求項２０】
前記第１情報処理装置及び前記第２情報処理装置と，前記ポインタ装置とは，ブルートゥースプロトコルまたは無線ランプロトコルのうちのいずれかで無線データ送受信を行うことを特徴とする，請求項１４，１５，１６，１７，１８または１９のいずれかに記載のデータ伝送方法。
【請求項２１】
前記第１情報処理装置と前記第２情報処理装置とは，前記ネットワークを介して，ＴＣＰ／ＩＰでデータ送受信を行うことを特徴とする，請求項１４，１５，１６，１７，１８，１９または２０のいずれかに記載のデータ伝送方法。
【請求項２２】
前記アドレス情報は，前記保存データのＩＰアドレス情報と，前記第１情報処理装置におけるディレクトリ情報と，前記保存データのファイル情報とを含むことを特徴とする，請求項２１に記載のデータ伝送方法。
【請求項２３】
第１無線ネットワーク部と，タッチ信号を入力するためのタッチスクリーンインターフェース部と，少なくとも１つの保存データを保存するデータ保存部と，前記タッチスクリーンインターフェース部を通じて入力されるタッチ信号に対応する保存データのアドレス情報を，前記第１無線ネットワーク部を通じて伝送する第１伝送制御部とを有するシステム本体と；
前記第１無線ネットワーク部と無線データ送受信可能な第３無線ネットワーク部と，前記第３無線ネットワーク部を通じて受信したアドレス情報を保存するアドレス保存部と，外部情報処理装置の要請に応じて前記アドレス保存部に保存されたアドレス情報を読み出して前記外部情報処理装置に伝送する第３伝送制御部とを有するポインタ装置と；
を備えたことを特徴とする，情報処理装置。
【請求項２４】
前記第１伝送制御部は，
前記ポインタから前記アドレス情報を受信した前記外部情報処理装置からの要請に応じて，前記データ保存部から前記アドレス情報に対応する保存データを読み出して前記外部情報処理装置に伝送することを特徴とする，請求項２３に記載の情報処理装置。
【請求項２５】
前記第１無線ネットワーク部及び前記第３無線ネットワーク部は，ブルートゥースプロトコルで相互に無線データ送受信を行うことを特徴とする，請求項２３または２４のいずれかに記載の情報処理装置。
【請求項２６】
第１情報処理装置及び第２情報処理装置と無線データ送受信が可能な無線ネットワーク部と；
前記第１情報処理装置から前記無線ネットワーク部を通じて受信した，前記第１情報処理装置に保存された保存データのアドレス情報を保存するアドレス保存部と；
前記第２情報処理装置から前記無線ネットワーク部を通じてアドレス要請信号を受信した場合，前記アドレス保存部に保存された前記アドレス情報を前記無線ネットワーク部を通じて前記第２情報処理装置に送信する伝送制御部と；
を備えたことを特徴とする，ポインタ装置。
【請求項２７】
前記無線ネットワーク部は，ブルートゥースプロトコルで無線データ送受信を行うことを特徴とする，請求項２６に記載のポインタ装置。
【発明の詳細な説明】
【技術分野】
【０００１】
本発明は，データ伝送システム，データ伝送方法，情報処理装置及びポインタ装置にかかり，より詳しくは，情報処理装置と無線データ送受信が可能なポインタ装置を利用して，情報処理装置間に保存データを伝送する場合において，使用者に便利なインターフェースを提供することが可能なデータ伝送システム，データ伝送方法，情報処理装置及びポインタ装置に関する。
【背景技術】
【０００２】
ラップトップコンピュータ，ＰＤＡ，タブレットコンピュータなどに大別される携帯用コンピュータとデスクトップコンピュータなどの情報処理装置は，インターネットなどのネットワーク技術の発達に伴って，情報処理のみだけでなくネットワークを通じて相互間でデータを伝送して使用することに広く利用されている。
【０００３】
このような，情報処理装置間のデータ伝送方法のうち，図１はマイクロソフト（ＭｉｃｒｏＳｏｆｔ；登録商標）社が市場に提供するコンピュータ運営体系（ＯＳ）であるウィンドウズ（Ｗｉｎｄｏｗｓ；登録商標）で提供される探索器を通じた情報処理装置間のデータ伝送例を示した図面である。図面に示すように，探索器を実行して探索窓を活性化し，ディスプレイされた探索窓で“ネットワーク環境”をクリックすると，ネットワークに連結された他のコンピュータのファイル情報がディスプレイされる。ここで，使用者はマウスなどを利用して，ドラッグアンドドロップ（Ｄｒａｇ  ａｎｄ  Ｄｒｏｐ）方式によってファイルを他のコンピュータから受信したり，他のコンピュータに送信したりして，データを伝送できる
【発明の開示】
【発明が解決しようとする課題】
【０００４】
しかし，このような従来のデータ伝送方法は，ネットワークに連結されたコンピュータ間にネットワーク用ドライバーが設置され，各コンピュータのネットワーク設定で各コンピュータを示すネックワーク上の名前を設定し，各コンピュータに共有ディレクトリを設定するなど，データ伝送のためのネットワーク環境を予め設定しておくことを前提としているので，ネットワークに対する知識が低い一般の使用者にはネットワーク環境設定が困難であった。
【０００５】
また，前記のようにネットワーク環境が設定されても，探索窓を利用したデータの伝送は同一のゲートウェイを有するコンピュータ間のファイル伝送だけを支援し，異なるゲートウェイを有するコンピュータ間のデータ伝送には探索器を使用することができない。
【０００６】
また，同一のゲートウェイを有する複数のコンピュータが存在する状態で，探索器を実行すると，コンピュータは同一のゲートウェイを有する全てのコンピュータに対する情報を収集する。このため，場合によっては情報収集及び各コンピュータの情報をディスプレイするのに多くの時間がかかるという問題点がある。これは使用者が特定コンピュータとのファイルの伝送を所望する場合には，不要な時間がかかるという問題点がある。
【０００７】
一方，ネットワークに連結されたコンピュータ間のデータ伝送のための他の方法としては，ＦＴＰ（Ｆｉｌｅ  Ｔｒａｎｓｆｅｒ  Ｐｒｏｔｏｃｏｌ）を支援するアプリケーションを利用することができる。しかし，このようなアプリケーションを利用する方法は，相手方コンピュータのＩＰアドレスを正確に知っていなければならないなど，ネットワークに対する知識が低い一般の使用者には，その使用が容易でない。
【０００８】
そこで，本発明は，上記問題に鑑みてなされたものであり，本発明の目的とするところは，情報処理装置と無線データ送受信が可能なポインタ装置を利用して情報処理装置間で保存データを伝送する場合において，使用者に便利なインターフェースを提供すること可能な，新規かつ改良されたデータ伝送システム，データ伝送方法，情報処理装置及びポインタ装置を提供することにある。
【課題を解決するための手段】
【０００９】
上記課題を解決するために，本発明のある観点によれば，ネットワークを介して相互に接続され，タッチスクリーンインターフェース部を有する第１情報処理装置及び第２情報処理装置と；第１情報処理装置及び第２情報処理装置と無線データ送受信が可能なポインタ装置と；を備え，第１情報処理装置は，タッチスクリーンインターフェース部を通じて入力された第１タッチ信号に対応する保存データのアドレス情報を，ポインタ装置に送信し；ポインタ装置は，第１情報処理装置から受信したアドレス情報を保存し，第２情報処装置からのアドレス要請信号を受信した場合に，保存されたアドレス情報を第２情報処理装置に送信し；第２情報処理装置は，ポインタ装置から受信したアドレス情報に対応する保存データを，第１情報処理装置から受信して保存することを特徴とする，データ伝送システムが提供される。
【００１０】
また，上記第１情報処理装置は，少なくとも１つの保存データを保存する第１データ保存部と；ポインタ装置と無線データ通信するための第１無線ネットワーク部と；第１タッチ信号に対応する保存データのアドレス情報を検出し，検出したアドレス情報を，第１無線ネットワーク部を通じて送信する第１伝送制御部と；を有するようにしてもよい。
【００１１】
また，上記第１伝送制御部は，第１情報処理装置の運営体系に対応したアプリケーションで構成されるようにしてもよい。
【００１２】
また，上記第２情報処理装置は，ポインタ装置と無線データ通信するための第２無線ネットワーク部と；第２情報処理装置のタッチスクリーンインターフェース部を通じて入力された第２タッチ信号に応じて，アドレス要請信号を第２無線ネットワーク部を通じてポインタ装置に送信し，ポインタ装置から第２無線ネットワーク部を通じてアドレス情報を受信する第２伝送制御部と；第１情報処理装置から受信した保存データを保存する第２データ保存部と；を有するようにしてもよい。
【００１３】
また，上記第２伝送制御部は，第２情報処理装置の運営体系（例えばＯＳ；Ｏｐｅｒａｔｉｎｇ  Ｓｙｓｔｅｍ）に対応したアプリケーションで構成されるようにしてもよい。
【００１４】
また，上記第２情報処理装置の第２伝送制御部は，ポインタ装置からアドレス情報を受信した場合，受信したアドレス情報に対応する保存データの伝送を要請するための保存データ要請信号を，第１情報処理装置に送信するようにしてもよい。
【００１５】
また，上記ポインタ装置は，第１無線ネットワーク部及び第２無線ネットワーク部と無線データ通信するための第３無線ネットワーク部と；第１情報処理装置から第３無線ネットワーク部を通じて受信したアドレス情報を保存するアドレス保存部と；第２情報処理装置から第３無線ネットワーク部を通じてアドレス要請信号を受信した場合，アドレス保存部に保存されたアドレス情報を，第３無線ネットワーク部を通じて第２情報処理装置に送信する第３伝送制御部と；を有するようにしてもよい。
【００１６】
また，上記第３伝送制御部は，アドレス要請信号を受信した場合，アドレス保存部に保存されたアドレス情報のうち最新のアドレス情報を読み出して第２情報処理装置に送信するようにしてもよい。
【００１７】
また，上記第２伝送制御部は，第２情報処理装置のタッチスクリーンインターフェース部を通じて入力された第３タッチ信号に応じて，アドレスリスト要請信号を第２無線ネットワーク部を通じてポインタ装置に送信し；第３伝送制御部は，アドレスリスト要請信号を受信した場合，アドレス保存部に保存された全てのアドレス情報を読み出して第２情報処理装置に送信するようにしてもよい。
【００１８】
また，上記第２伝送制御部は，アドレスリスト要請信号に対応してポインタ装置から受信したアドレス情報のリストを表示し，第２情報処理装置のタッチスクリーンインターフェース部を通じてアドレス情報が選択された場合，選択されたアドレス情報に対応する保存データの伝送を要請するための保存データ要請信号を，第１情報処理装置に送信するようにしてもよい。
【００１９】
また，上記第１情報処理装置及び第２情報処理装置と，ポインタ装置とは，ブルートゥースプロトコルまたは無線ランプロトコルのうちのいずれかで無線データ送受信を行うようにしてもよい。
【００２０】
また，上記第１情報処理装置と第２情報処理装置とは，ネットワークを介して，ＴＣＰ／ＩＰでデータ送受信を行うようにしてもよい。
【００２１】
また，上記アドレス情報は，保存データのＩＰアドレス情報と，第１情報処理装置におけるディレクトリ情報と，保存データのファイル情報とを含むようにしてもよい。
【００２２】
また，上記課題を解決するために，本発明の別の観点によれば，ネットワークを介して相互に接続され，タッチ信号を入力するためのタッチスクリーンインターフェース部を有する第１情報処理装置及び第２情報処理装置間のデータ伝送方法が提供される。このデータ伝送方法は，（ａ）第１情報処理装置及び第２情報処理装置と無線データ送受信が可能なポインタ装置を設ける段階と；（ｂ）第１情報処理装置のタッチスクリーンインターフェース部を通じてアドレス情報の伝送のための第１タッチ信号を入力する段階と；（ｃ）第１情報処理装置に保存された保存データのうち第１タッチ信号に対応する保存データのアドレス情報を，ポインタ装置に送信する段階と；（ｄ）ポインタ装置に送信されたアドレス情報を，第１情報処理装置からポインタ装置に保存する段階と；（ｅ）第２情報処理装置からの要請に応じて，保存されたアドレス情報をポインタ装置から第２情報処理装置に送信する段階と；（ｆ）第２情報処理装置に送信されたアドレス情報に対応する第１情報処理装置に保存されている保存データを，第１情報処理装置から第２情報処理装置に送信する段階と；（ｇ）第２情報処理装置に送信された保存データを，第２情報処理装置に保存する段階と；を含むことを特徴とする。
【００２３】
また，上記（ｅ）段階は，（ｅ−１）第２情報処理装置のタッチスクリーンインターフェース部を通じてポインタ装置に保存されたアドレス情報の伝送を要請するための第２タッチ信号を入力する段階と；（ｅ−２）第２タッチ信号に応じてアドレス要請信号を第２情報処理装置からポインタ装置に送信する段階と；（ｅ−３）ポインタ装置によるアドレス要請信号の受信に応じて，ポインタ装置に保存されたアドレス情報を，ポインタ装置から第２情報処理装置に送信する段階と；を含むようにしてもよい。
【００２４】
また，上記（ｅ−３）段階において，アドレス要請信号に対応してポインタ装置から第２情報処理装置に伝送されるアドレス情報は，ポインタ装置に保存されたアドレス情報のうち最新のアドレス情報であるようにしてもよい。
【００２５】
また，上記（ｅ）段階は，（ｅ−１’）第２情報処理装置のタッチスクリーンインターフェース部を通じて第３タッチ信号を入力する段階と；（ｅ−２’）第３タッチ信号に応じて，アドレスリスト要請信号を第２情報処理装置からポインタ装置に送信する段階と；（ｅ−３’）ポインタ装置によるアドレス要請信号の受信に応じて，ポインタ装置に保存された全てのアドレス情報を，ポインタ装置から第２情報処理装置に送信する段階と；を含むようにしてもよい。
【００２６】
また，上記（ｅ−３’）段階後に，（ｈ）第２情報処理装置が，ポインタ装置から全てのアドレス情報を受信する段階と；（ｉ）受信した全てのアドレス情報のリストを第２情報処理装置に表示する段階と；（ｊ）表示されたアドレス情報のリストに含まれるアドレス情報のうち，少なくともいずれか１つを選択する段階と；をさらに含み，上記（ｆ）段階において第１情報処理装置から第２情報処理装置に送信される保存データは，（ｊ）段階で選択されたアドレス情報に対応する保存データを含むようにしてもよい。
【００２７】
また，上記（ｆ）段階は，（ｆ−１）第２情報処理装置が，ポインタ装置から送信されたアドレス情報を受信する段階と；（ｆ−２）第１情報処理装置に保存されている保存データのうち，受信されたアドレス情報に対応する保存データの伝送を要請するためのデータ要請信号を第１情報処理装置に送信する段階と；（ｆ−３）データ要請信号に対応する保存データを，第１情報処理装置から第２情報処理装置に送信する段階と；を含むようにしてもよい。
【００２８】
また，上記第１情報処理装置及び第２情報処理装置と，ポインタ装置とは，ブルートゥースプロトコルまたは無線ランプロトコルのうちのいずれかで無線データ送受信を行うようにしてもよい。
【００２９】
また，上記第１情報処理装置と第２情報処理装置とは，ネットワークを介して，ＴＣＰ／ＩＰでデータ送受信を行うようにしてもよい。
【００３０】
また，上記アドレス情報は，保存データのＩＰアドレス情報と，第１情報処理装置におけるディレクトリ情報と，保存データのファイル情報とを含むようにしてもよい。
【００３１】
また，上記課題を解決するために，本発明の別の観点によれば，第１無線ネットワーク部と，タッチ信号を入力するためのタッチスクリーンインターフェース部と，少なくとも１つの保存データを保存するデータ保存部と，タッチスクリーンインターフェース部を通じて入力されるタッチ信号に対応する保存データのアドレス情報を，第１無線ネットワーク部を通じて伝送する第１伝送制御部とを有するシステム本体と；第１無線ネットワーク部と無線データ送受信可能な第３無線ネットワーク部と，第３無線ネットワーク部を通じて受信したアドレス情報を保存するアドレス保存部と，外部情報処理装置の要請に応じてアドレス保存部に保存されたアドレス情報を読み出して外部情報処理装置に伝送する第３伝送制御部とを有するポインタ装置と；を備えたことを特徴とする，情報処理装置が提供される。
【００３２】
また，上記第１伝送制御部は，ポインタからアドレス情報を受信した外部情報処理装置からの要請に応じて，データ保存部からアドレス情報に対応する保存データを読み出して外部情報処理装置に伝送するようにしてもよい。
【００３３】
また，上記第１無線ネットワーク部及び第３無線ネットワーク部は，ブルートゥースプロトコルで相互に無線データ送受信を行うようにしてもよい。
【００３４】
また，上記課題を解決するために，本発明の別の観点によれば，第１情報処理装置及び第２情報処理装置と無線データ送受信が可能な無線ネットワーク部と；第１情報処理装置から無線ネットワーク部を通じて受信した，第１情報処理装置に保存された保存データのアドレス情報を保存するアドレス保存部と；第２情報処理装置から無線ネットワーク部を通じてアドレス要請信号を受信した場合，アドレス保存部に保存されたアドレス情報を無線ネットワーク部を通じて第２情報処理装置に送信する伝送制御部と；を備えたことを特徴とする，ポインタ装置が提供される。
【００３５】
また，上記無線ネットワーク部は，ブルートゥースプロトコルで無線データ送受信を行うようにしてもよい。
【発明の効果】
【００３６】
以上説明したように本発明によれば，情報処理装置と無線データ送受信が可能なポインタ装置を利用して情報処理装置間に保存データを伝送する場合において，使用者に便利なインターフェースを提供することができる。
【発明を実施するための最良の形態】
【００３７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
（第１の実施形態）
まず，本発明の第１の実施形態にかかるデータ伝送システム，データ伝送方法，情報処理装置及びポインタ装置について説明する。
【００３９】
本実施形態にかかるに情報処理装置１００は，図２に示すように，中央処理装置１１０（ＣＰＵ）と，システムメモリ１２０と，ハードディスクドライブ１９０などの補助記憶装置と，画像を表示するディスプレイ部１５０と，ディスプレイ部１５０に画像信号を伝送するグラフィックコントローラ１５２と，各構成要素を相互連結するシステムバス１３０とを含む。中央処理装置１１０，システムメモリ１２０及びシステムバス１３０は，情報処理装置１００の制御及び演算機能を遂行する構成要素であって，中央処理装置１１０の制御によってシステムバス１３０を通じて各種データが入出力，処理及び演算され，システム機能を遂行する。
【００４０】
また，本実施形態にかかる情報処理装置１００は，ディスプレイ部１５０を通じてタッチ信号を入力するためのタッチスクリーンインターフェース部１４０と，後述するポインタ装置３００（図５参照）との無線データ送受信のための無線ネットワーク部１６０と，タッチスクリーンインターフェース部１４０を通じて入力されるタッチ信号に基づいて，無線ネットワーク部１６０を通じてポインタ装置３００との無線データ送受信機能を遂行する伝送制御部１７０とをさらに含む。
【００４１】
タッチスクリーンインターフェース部１４０は，ディスプレイ部１５０に設けられるタッチスクリーンパッド１４２（ＴＳＰ）と，タッチスクリーンパッド１４２を通じて印加される外部からの刺激によってタッチ信号を出力するタッチスクリーンコントローラ１４４とを含む。ここで，外部から印加される刺激は，例えば，所定の圧力の接触や光による刺激であることがあり，タッチスクリーンコントローラ１４４は印加される刺激に対応する位置データに応じてタッチ信号を出力する。
【００４２】
情報処理装置１００の無線ネットワーク部１６０は，ポインタ装置３００にデータを送信し，ポインタ装置３００から伝送されたデータを受信する。無線ネットワーク部１６０は，ハードウェアー的な無線ネットワークモジュール１６４と，ソフトウェア的な無線ネットワークドライバー１６２とを含むことができる。本実施形態にかかる無線ネットワーク部１６０は，例えば，ブルートゥースプロトコル（Ｂｌｕｅｔｏｏｔｈ  Ｐｒｏｔｏｃｏｌ）を利用してデータを送受信するように構成されてもよい。この場合，無線ネットワーク部１６０は，システムバス１３０と連結されるハードウェアー的なブルートゥースネットワークモジュールと，ブルートゥースネットワークモジュールを制御するためのブルートゥースネットワークドライバーとを含むことができる。
【００４３】
図３は本実施形態にかかるブルートゥースネットワークモジュールの内部構成を一例として示した図面であり，ブルートゥースネットワークモジュールは，ブルートゥース標準によるデータパケットを送受信するＲＦ送信部１６６及びＲＦ受信部１６７と，ＲＦ送信部１６６及びＲＦ受信部１６７で送受信される信号を変復調処理する基底帯域処理部１６５（ベースバンド処理部）と，モジュールの全体的な動作を制御するモジュール制御部１６８とを含む。ブルートゥースネットワークドライバーは，例えば，ハードディスクドライブ１９０などの補助記憶装置にインストールされて保存される。
【００４４】
情報処理装置１００の伝送制御部１７０は，タッチスクリーンインターフェース部１４０を通じて入力されるタッチ信号に基づいて，ポインタ装置３００との無線データ送受信処理と，他の情報処理装置との保存データの伝送処理とを制御する。本実施形態にかかる伝送制御部１７０は，例えば，情報処理装置１００の運営体系（例えばＯＳ；Ｏｐｅｒａｔｉｎｇ  Ｓｙｓｔｅｍ）に応じたアプリケーションソフトウェアウェアで構成されてもよく，この場合，これらのアプリケーションソフトウェアは，例えばハードディスクドライブ１９０などの補助記憶装置にインストールされて保存される。
【００４５】
さらに，本実施形態にかかる情報処理装置１００は，他の情報処理装置と接続（連結）されるネットワーク部１８０を含む。このネットワーク部１８０は，例えば，ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ：伝送制御／インターネットプロトコル）で支援（サポート）されている，換言すると，情報処理装置１００は，ネットワークを介してＴＣＰ／ＩＰでデータ伝送を行うことが好ましい。このように例えばＴＣＰ／ＩＰで支援されていれば，有線ラン（ＬＡＮ）やブルートゥースプロトコルなど有線や無線プロトコルを適用できる。
【００４６】
図４は，本実施形態にかかるポインタ装置３００の制御ブロック図である。図面に示すように，本実施形態にかかるポインタ装置３００は，前述した情報処理装置１００の無線ネットワーク部１６０との間で無線データ送受信が可能な無線ネットワーク部３６０と，情報処理装置１００から受信される保存データのアドレス情報を保存するためのアドレス保存部３５０と，情報処理装置１００とのアドレス情報の送受信を制御する伝送制御部３７０と，これらに電源を供給するための電源供給部３４０とを含む。
【００４７】
ポインタ装置３００の無線ネットワーク部３６０は，情報処理装置１００の無線ネットワーク部１６０と無線データ送受信が可能となるように，情報処理装置１００の無線ネットワーク部１６０と同一の無線ネットワークプロトコルを支援するように構成される。例えば，前述したように，情報処理装置１００の無線ネットワーク部１６０がブルートゥースプロトコルを支援する場合，ポインタ装置３００の無線ネットワーク部３６０もまたブルートゥースプロトコルを支援するように構成される。
【００４８】
ポインタ装置３００のアドレス保存部３５０は，読出し及び書込みが可能なメモリであって，情報処理装置１００から無線ネットワーク部３６０を通じて受信されたアドレス情報が保存される。ここで，アドレス保存部３５０は，アドレス情報が保存される不揮発性メモリ（ＮＶＭ：Ｎｏｎ−Ｖｏｌａｔｉｌｅ  Ｍｅｍｏｒｙ：ＦｌａｓｈメモリまたはＥＥＰＲＯＭなど）と，ポインタ装置３００の作動時発生するデータを一時的に保存して処理するラム（ＲＡＭ）とを含むことができる。
【００４９】
ポインタ装置３００の伝送制御部３７０は，情報処理装置１００から伝送されるアドレス情報をアドレス保存部３５０に保存し，外部からの要請がある場合，アドレス保存部３５０に保存されているアドレス情報の一部または全部を無線ネットワーク部３６０を通じて外部に伝送する。ポインタ装置３００の伝送制御部３７０は，例えば，モジュール形態のチップに内蔵されたファームウェアー（Ｆｉｒｍｗａｒｅ）として構成されてもよいし，制御に必要な制御データを保存しているプログラム形態で構成されてもよい。このポインタ装置３００の伝送制御部３７０の具体的な制御動作については後述する。
【００５０】
一方，図５は本実施形態にかかるデータ伝送システムの構成を示した図面である。図面に示すように，データ伝送システムは，例えば，前述した本実施形態にかかる情報処理装置１００，２００及びポインタ装置３００を含む。
【００５１】
情報処理装置１００，２００間はネットワーク４００を通じて相互連結され，相互間でデータの送受信が可能に備えられる。つまり，情報処理装置１００，２００は前述したＴＣＰ／ＩＰを支援するネットワーク部１８０（図２参照）を通じて相互連結され，相互間のデータ送受信が可能になる。
【００５２】
情報処理装置１００，２００とポインタ装置３００は，前述したように，ブルートゥースネットワークなどの無線ネットワークを通じて相互接続され，相互間でデータを送受信する。
【００５３】
以下に，図５及び図６を参照して，本実施形態にかかるデータ伝送方法について詳細に説明する。ここで，本発明の理解を助けるために，便宜上，図５に示したデータ伝送システムのうちの保存データを伝送する側の情報処理装置を第１情報処理装置１００と，第１情報処理装置１００から伝送される保存データを受信して保存する側の情報処理装置を第２情報処理装置２００と定義して説明する。また，第１情報処理装置１００のタッチスクリーンインターフェース部，無線ネットワーク部及び伝送制御部を各々第１タッチスクリーンインターフェース部，第１無線ネットワーク部及び第１伝送制御部と定義し，各符号を図２に示すように，１４０，１６０及び１７０と付して説明する。一方，第２情報処理装置２００の構成は図２に示した情報処理装置の構成に対応して，第２情報処理装置２００のタッチスクリーンインターフェース部，無線ネットワーク部及び伝送制御部を，各々第２タッチスクリーンインターフェース部，第２無線ネットワーク部及び第２伝送制御部と定義し，各々の符号を第１情報処理装置１００の構成要素と区分されるように，２４０，２６０及び２７０と記載して説明する。また，ポインタ装置３００の無線ネットワーク部３６０及び伝送制御部３７０を，第３無線ネットワーク部３６０及び第３伝送制御部３７０と定義して説明する。
【００５４】
まず，第１情報処理装置１００が動作した状態で，第１タッチスクリーンインターフェース部１４０やキーボードなどの入力装置に対する操作に応じて，第１情報処理装置１００のハードディスクドライブ１９０等のデータ保存部に保存されている保存データのリストをディスプレイ部１５０に表示する（Ｓ１０）。次に，使用者は，例えば，第１タッチスクリーンインターフェース部１４０を通じて，表示された保存データのうち，いずれか１つまたは複数の伝送を消耗する保存データを選択する。この保存データの選択作業は，例えば，ユーザが，ポインタ装置３００または別途のペンなどを利用して，表示画面上の所望する保存データの部分にタッチすることなどにより成される。次いで，使用者は，第１タッチスクリーンインターフェース部１４０を通じて，選択された保存データのアドレス情報を伝送するための第１タッチ信号を入力する（Ｓ１１）。この第１タッチ信号を入力する方法の一例としては，例えば，図８に示すように，まず，使用者がポインタ装置３００やペンなどを利用してタッチスクリーンパッド１４２を所定の圧力及び時間で加圧すると，複数の選択メニューを含むメニュー選択窓Ｍ１が表示され，次いで，このうちの第１タッチ信号の入力に対応する選択メニュー（図８の「ＳＥＮＤ」；アドレス送信）を選択（例えばタッチ）する手法などが挙げられる。かかる操作によって，第１タッチ信号が第１タッチスクリーンインターフェース部１４０に入力されたことになる。その後，例えば，第１タッチスクリーンインターフェース部１４０は，第１タッチ信号を生成して第１伝送制御部１７０に出力する。
【００５５】
次に，第１伝送制御部１７０は第１タッチスクリーンインターフェース部１４０から第１タッチ信号が入力されると，第１タッチ信号に対応する選択された保存データのアドレス情報を検出し，このアドレス情報を，第１無線ネットワーク部１６０を通じてポインタ装置３００に送信する（Ｓ１２）。ここで，ポインタ装置３００に送信されるアドレス情報は，第１情報処理装置１００と第２情報処理装置２００と間のネットワークが例えばＴＣＰ／ＩＰプロトコルで支援されている場合，例えば，第１情報処理装置１００のＩＰアドレス情報と，選択された保存データの第１情報処理装置１００におけるディレクトリ情報と，選択された保存データのファイル情報とを含むようになる。これにより，第２情報処理装置２００において，当該アドレス情報を通じて伝送を所望する保存データのネットワーク上の位置を正確に把握することができる。
【００５６】
次いで，ポインタ装置３００の第３伝送制御部３７０は，第１情報処理装置１００から第３無線ネットワーク部３６０を通じて上記アドレス情報を受信し（Ｓ１３），受信したアドレス情報をアドレス保存部３５０に保存する（Ｓ１４）。
【００５７】
このようにポインタ装置３００のアドレス保存部３５０にアドレス情報が保存された状態で，使用者は，ポインタ装置３００やペンなどを用いて，第２情報処理装置２００における，データの伝送を受ける場所（伝送されたデータを保存する場所），例えば保存先のディレクトリなどを選択する（Ｓ１５）。次に，使用者は，第２タッチスクリーンインターフェース部２４０を通じて，上記ポインタ装置３００に保存されたアドレス情報の伝送を要請するための第２タッチ信号を入力する（Ｓ１６）。第２情報処理装置２００で第２タッチ信号を入力する方法は，例えば，図８に示したように，使用者がポインタ装置３００やペンなどを利用して，タッチスクリーンパッド１４２を所定の圧力及び時間で加圧して，複数の選択メニューを含むメニュー選択窓Ｍ１を表示させ，この選択メニューうち，第２タッチ信号の入力に対応する選択メニュー（図８の「ＲＥＣＥＩＶＥ  ＡＤＤＲＥＳＳ」；アドレス受信）を選択（例えばタッチ）する手法などが挙げられる。かかる操作によって，第２タッチ信号が第２タッチスクリーンインターフェース部２４０に入力されたことになる。その後，例えば，第２タッチスクリーンインターフェース部２４０は，第２タッチ信号を生成して第２伝送制御部２７０に出力する。
【００５８】
次に，第２伝送制御部２７０は，第２タッチスクリーンインターフェース部２４０から第２タッチ信号が入力されると，ポインタ装置３００に保存されたアドレス情報の伝送を要請するためのアドレス要請信号を，第２無線ネットワーク部２６０を通じてポインタ装置３００に送信する（Ｓ１７）。
【００５９】
次に，ポインタ装置３００の第３伝送制御部３７０は，第２情報処理装置２００から第３無線ネットワーク部３６０を通じてアドレス要請信号を受信すると（Ｓ１８），アドレス保存部３５０に保存されているアドレス情報を読み出して第３無線ネットワーク部３６０を通じて第２情報処理装置２００に送信する（Ｓ１９）。本実施形態にかかるデータ伝送方法において，アドレス要請信号に応じて第２情報処理装置２００に伝送されるアドレス情報は，例えば，アドレス保存部３５０に保存されているアドレス情報のうち，最も新しく（最近）保存されたアドレス情報である。ここで，最も新しく保存されたアドレス情報は，第１情報処理装置１００で１つの保存データを選択してアドレス情報を伝送した場合には，対応する１つのアドレス情報を意味し，第１情報処理装置１００で複数の保存データを同時に選択してアドレス情報を伝送した場合には，対応する複数のアドレス情報を意味する。ここで，本実施形態にかかるデータ伝送方法に用いられるポインタ装置３００の第３伝送制御部３７０は，第１情報処理装置１００からアドレス情報を受信した場合，アドレス保存部３５０に既に保存されているアドレス情報を削除し，受信されたアドレス情報にアップデートするように構成されている。これによって，アドレス保存部３５０に保存されるアドレス情報が，最も新しく受信したアドレス情報となる。
【００６０】
次に，第２情報処理装置２００の第２伝送制御部２７０は，ポインタ装置３００からアドレス情報を受信すると（Ｓ２０），受信したアドレス情報に対応する，第１情報処理装置１００に保存されている保存データの伝送を要請するための保存データ要請信号を第１情報処理装置１００に送信する（Ｓ２１）。ここで，保存データ要請信号は，第１情報処理装置１００と第２情報処理装置２００とを接続するネットワーク４００を通じて送信される。
【００６１】
次に，第１情報処理装置１００の第１伝送制御部１７０は，第２情報処理装置２００から保存データ要請信号を受信すると（Ｓ２２），保存データ要請信号に対応する保存データをハードディスクドライブ１９０などのデータ保存部から読み出して，第１情報処理装置１００及び第２情報処理装置２００間を接続するネットワーク４００を通じて第２情報処理装置２００に送信する（Ｓ２３）。
【００６２】
次に，第２情報処理装置２００の第２伝送制御部２７０は，第１情報処理装置１００からネットワーク４００を通じて保存データを受信し（Ｓ２４），次いで，受信した保存データを，第２情報処理装置２００のハードディスクドライブ２９０などのデータ保存部に保存する（Ｓ２５）。このとき，受信したデータは，データ保存部の上記Ｓ１５で第２タッチスクリーンインターフェース２４０を通じて選択されたディレクトリに対応するセクタに保存される。以上により，第１情報処理装置１００から第２情報処理装置２００へのデータ伝送及び保存が完了する。
【００６３】
（第２の実施の形態）
次に，図５及び図７を参照して，本発明の第２の実施形態にかかるデータ伝送方法について説明する。なお，データ伝送システム，情報処理装置１００及びポインタ装置３００などの構成は，上記第１の実施形態の場合と略同一であるので，詳細説明は省略する。
【００６４】
図７は本発明の第２の実施形態にかかるデータ伝送方法を示す制御フローチャートである。この図７では，前述した第１の実施形態にかかるデータ伝送方法において，Ｓ１０段階乃至Ｓ１４段階を通じて，ポインタ装置３００のアドレス保存部３５０にアドレス情報が保存されている状態から処理を開始するものとする。
【００６５】
当該状態において，まず，使用者は，ポインタ装置３００やペンなどを用いて，第２情報処理装置２００のデータの伝送を受けるディレクトリなどを選択する（Ｓ３０）。次に，使用者は，第２タッチスクリーンインターフェース部２４０を通じてポインタ装置３００に保存されたアドレス情報の伝送を要請するための第３タッチ信号を入力する（Ｓ３１）。ここで，第３タッチ信号はポインタ装置３００のアドレス保存部３５０に保存された全てのアドレス情報の伝送を要請するために入力される信号である。ここで，全てのアドレス情報とは，アドレス保存部３５０に保存された順序と無関係に，ポインタ装置３００のアドレス保存部３５０が保存している全てのアドレス情報を意味する。また，上記第２情報処理装置２００で第３タッチ信号を入力する方法としては，例えば，前述した第２タッチ信号を入力する方法と同様であり，図８に示したようなメニュー選択窓Ｍ１を表示させ，第３タッチ信号に対応する選択メニュー（図８の「ＲＥＣＥＩＶＥ  ＡＤＤＲＥＳＳ  ＬＩＳＴ」；アドレスリスト受信）を選択（例えばタッチ）する手法が挙げられる。かかる操作によって，第３タッチ信号が第２タッチスクリーンインターフェース部２４０に入力されたことになる。その後，例えば，第２タッチスクリーンインターフェース部２４０は，第３タッチ信号を生成して第２伝送制御部２７０に出力する。
【００６６】
次に，第２伝送制御部２７０は，第２タッチスクリーンインターフェース部２４０から第３タッチ信号が入力されると，ポインタ装置３００に保存された全てのアドレス情報の伝送を要請するためのアドレスリスト要請信号を，第２無線ネットワーク部２６０を通じてポインタ装置３００に伝送する（Ｓ３２）。
【００６７】
次に，ポインタ装置３００の第３伝送制御部３７０は，第２情報処理装置２００から第３無線ネットワーク部３６０を通じてアドレスリスト要請信号を受信すると（Ｓ３３），アドレス保存部３５０に保存されている全てのアドレス情報を読み出して，第３無線ネットワーク部３６０を通じて第２情報処理装置２００に送信する（Ｓ３４）。ここで，本発明の第２実施形態にかかるポインタ装置３００の第３伝送制御部３７０は，例えば，第１情報処理装置１００からアドレス情報を新しく受信すると，アドレス保存部３５０に既に保存されているアドレス情報と共に，新しく受信したアドレス情報を保存するように構成されることが好ましい。
【００６８】
次に，第２情報処理装置２００の第２伝送制御部２７０は，ポインタ装置３００からアドレス情報を受信すると（Ｓ３５），図９に示すように，受信したアドレス情報のリストＭ２をディスプレイ部１５０に表示する（Ｓ３６）。次に，使用者は，表示されたアドレス情報のリストＭ２に含まれるアドレス情報うち，少なくともいずれか１つのアドレス情報を，ポインタ装置３００やペンなどを利用して選択する（Ｓ３７）。このとき，第２伝送制御部２７０は，第１情報処理装置１００に保存されている保存データのうち，上記選択されたアドレス情報に対応する保存データの伝送を要請するための保存データ要請信号を，第１情報処理装置１００に送信する（Ｓ３８）。このとき，保存データ要請信号は，第１情報処理装置１００と第２情報処理装置２００とを接続するネットワーク４００を通じて送信される。
【００６９】
次に，第１情報処理装置１００の第１伝送制御部１７０は，第２情報処理装置２００から保存データ要請信号を受信すると（Ｓ３９），保存データ要請信号に対応する保存データをハードディスクドライブ１９０などのデータ保存部から読み出して，ネットワーク４００を通じて第２情報処理装置２００に送信する（Ｓ４０）。
【００７０】
次に，第２情報処理装置２００の第２伝送制御部２７０は，第１情報処理装置１００からネットワーク４００を通じて保存データを受信し（Ｓ４１），次いで，受信した保存データを，第２情報処理装置２００のハードディスクドライブ２９０などのデータ保存部に保存する（Ｓ４２）。このとき，受信したデータを，データ保存部の上記Ｓ３０で第２タッチスクリーンインターフェース２４０を通じて選択されたディレクトリに対応するセクタに保存する。以上により，第１情報処理装置１００から第２情報処理装置２００へのデータの伝送及び保存が完了する。
【００７１】
以上，第１及び第２の実施形態にかかるデータ伝送システムおよびデータ伝送方法について説明した。上記のように，データ伝送システムは，ネットワーク４００を介して相互に接続され，タッチスクリーンインターフェース部１４０，２４０を有する第１及び第２情報処理装置１００，２００と，第１及び第２情報処理装置１００，２００と無線データ送受信が可能なポインタ装置３００とを備える。第１情報処理装置１００は，タッチスクリーンインターフェース部１４０を通じて入力される第１タッチ信号に対応する既に保存されている保存データのアドレス情報をポインタ装置３００に送信し；ポインタ装置３００は，第１情報処理装置１００から受信したアドレス情報を保存し，第２情報処装置２００からのアドレス要請信号を受信すると，保存されたアドレス情報を第２情報処理装置２００に送信し；第２情報処理装置２００は，ポインタ装置３００から受信したアドレス情報に対応する保存データを第１情報処理装置１００から受信して保存する。
【００７２】
かかる構成により，ディレクトリ情報処理装置間に保存データを伝送する場合において，使用者は，伝送元の情報処理装置の保存ファイルと，伝送先の情報処理装置とをワンタッチで容易かつ迅速に選択できる。このため，使用者に便利なインターフェースを提供できる。
【００７３】
また，本実施形態にかかるデータ伝送システムおよびデータ伝送方法では，上記従来のデータ伝送システム等のような探索器を利用する場合におけるネットワーク環境設定などの作業が不要である。よって，ネットワークに対する知識が不足した一般の使用者も，より容易にデータを伝送することができる。
【００７４】
さらに，伝送しようとする保存データが保存された情報処理装置１００，２００のＩＰアドレス情報や，ファイルが保存されたディレクトリ情報を正確に知らなくても，データを伝送することができる。
【００７５】
また，探索器に依存していないので，異なるゲートウェイを有する情報処理装置間でも，容易にデータ伝送することができる。さらに，探索器のように，情報収集及び各コンピュータの情報をディスプレイするのに多くの時間がかかることがないので，使用者が特定コンピュータとのファイルの伝送を所望する場合に，迅速に作業を遂行できる。
【００７６】
また，ポインタ装置３００には伝送を所望する保存データのアドレス情報だけを保存することによって，ポインタ装置２００のアドレス保存部の容量を抑制できる。このため，携帯が簡便なポインタ装置３００を利用して遠距離間に位置する情報処理装置１００，２００間のデータ伝送も容易にすることができる。
【００７７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７８】
例えば，上記第１および第２の実施形態にかかるポインタ装置３００の第３伝送制御部３７０は，例えば，アドレス保存部３５０に保存されているアドレス情報を，第１情報処理装置１００から受信したときから所定時間が経過した後に，削除するようにしてもよい。また，ポインタ装置３００の第３伝送制御部３７０は，第２情報処理装置２００からの要請に応じて第２情報処理装置２００にアドレス情報を送信する場合，伝送したアドレス情報をアドレス保存部３５０で削除するようにしてもよい。これにより，保存容量の制約を受けるアドレス保存部３５０の保存容量を，効果的に管理することができる。
【００７９】
また，上記第１および第２の実施形態にかかる情報処理装置１００，２００は，デスクトップコンピュータと，ラップトップやＰＤＡなどのような携帯用コンピュータのみに限定されない。例えば，電子手帳，携帯用端末機などのようにデータの送受信及び保存が可能な情報処理装置であれば，その名称を問わず，本実施形態にかかる情報処理装置に適用できるのはもちろんである。
【００８０】
また，上記第１および第２の実施形態においては，情報処理装置１００，２００間のネットワーク４００がＴＣＩ／ＩＰで支援されている例を説明したが，かかる例に限定されない。例えば，情報処理装置１００，２００間のデータ伝送が可能であって，ＴＣＰ／ＩＰにおいて，前述したアドレス情報のように，情報処理装置に保存されたデータの位置情報に基づいてデータにアクセス可能なものであれば，他の任意のネットワークプロトコルを適用できるのはもちろんである。
【００８１】
また，第１情報処理装置１００の第１伝送制御部１７０は第２情報処理装置２００の第２伝送制御部２７０の機能を含み，第２情報処理装置２００の第２伝送制御部２７０は第１情報処理装置１００の第１伝送制御部１７０の機能を含むように構成してもよい。これによって，第１情報処理装置１００及び第２情報処理装置２００が相互間にデータを送受信するようにすることができる。
【図面の簡単な説明】
【００８２】
【図１】従来のウィンドウズＯＳの探索窓を示す説明図である。
【図２】本発明の第１の実施形態にかかる情報処理装置の概略構成を示す制御ブロック図である。
【図３】本発明の第１の実施形態にかかる無線ネットワークモジュールを示す制御ブロック図である。
【図４】本発明の第１の実施形態にかかるポインタ装置を示す制御ブロック図である。
【図５】本発明の第１の実施形態にかかるデータ伝送システムを示す説明図である。
【図６】本発明の第１の実施形態にかかるデータ伝送方法を示す制御フローチャートである。
【図７】本発明の第２の実施形態にかかるデータ伝送方法を示す制御フローチャートである。
【図８】本発明の第１及び第２の実施形態にかかる情報処理装置におけるデータ伝送のための使用者インターフェースの一例を示す説明図である。及び
【図９】本発明の第２の実施形態にかかる情報処理装置におけるデータ伝送のための使用者インターフェースの一例を示す説明図である。
【符号の説明】
【００８３】
１００，２００  情報処理装置
１１０  ＣＰＵ
１２０  システムメモリ
１３０  システムバス
１４０，２４０  タッチスクリーンインターフェース部
１５０  ディスプレイ部
１６０，２６０  無線ネットワーク部
１７０，２７０  伝送制御部
１８０  ネットワーク部
１９０，２９０  ハードディスクドライブ（ＨＤＤ）
３００  ポインタ装置
３４０  電源供給部
３５０  アドレス保存部
３６０  無線ネットワーク部
３７０  伝送制御部
【図１】
2005032221.tif 000003
【図２】
2005032221.tif 000004
【図３】
2005032221.tif 000005
【図４】
2005032221.tif 000006
【図５】
2005032221.tif 000007
【図６】
2005032221.tif 000008
【図７】
2005032221.tif 000009
【図８】
2005032221.tif 000010
【図９】
2005032221.tif 000011